(57)【要約】【課題】  複数の構内交換機を備える構内交換システムにおいて、一部の構内交換機の配下の電話端末における内線番号とダイヤルイン番号の対応関係を変更する際に、対応する構内交換機のダイヤルインテーブルのみを更新するだけで更新作業が完了できるようにすると共に、システムの運用性や拡張性に対するダイヤルインテーブルの容量上の制約を緩める。【解決手段】  構内交換機甲が収容したダイヤルイントランクへの着信を検出すると、当該着信に関する着信情報を取得し、他の構内交換機に着信情報を送信する。他の構内交換機は着信情報に基づいて自らの配下の端末宛の着信か否かを判定し、自らの配下の端末宛の着信であると判定した構内交換機乙は、構内交換機甲に応答する。構内交換機甲及び乙を介して、着信情報に応じた端末の接続を確立する。【選択図】  図１
2005333423.tif 000002
【特許請求の範囲】
【請求項１】
相互にデータ通信可能な複数の構内交換機を備える構内交換システムにおいて、
前記複数の構内交換機の一である構内交換機甲が収容したダイヤルイントランクへの着信を検出すると共に、当該着信に関する着信情報を取得し、
構内交換機甲が当該他の構内交換機に前記着信情報を送信し、
前記他の構内交換機のそれぞれが、前記着信情報に基づいて、自らの配下の端末宛の着信か否かを判定し、
前記他の構内交換機のうち、自らの配下の端末宛の着信であると判定した構内交換機乙が、構内交換機甲に応答し、
構内交換機甲及び乙を介して、前記着信情報に応じた端末の接続を確立する
ことを特徴とする構内交換システム。
【請求項２】
請求項１に記載の構内交換システムにおいて、構内交換機間を接続するダイヤルイントランク以外の通信経路を備え、前記通信経路を介して前記着信情報に応じた端末との接続を確立することを特徴とする構内交換システム。
【請求項３】
請求項２に記載の構内交換システムにおいて、前記ダイヤルイントランク以外の通信経路はＴＣＰ／ＩＰネットワークであり、構内交換機は、ＴＣＰ／ＩＰネットワークを介して、ＶｏＩＰ（ｖｏｉｃｅ  ｏｖｅｒ  ｉｎｔｅｒｎｅｔ  ｐｒｏｔｏｃｏｌ）により他の構内交換機との間に音声通話パスを形成することを特徴とする構内交換システム。
【請求項４】
請求項１に記載の構内交換システムにおいて、前記複数の構内交換機の少なくとも一機は、ダイヤルイントランクを収容しない構内交換機であって、当該構内交換機の配下の端末は、当該及び当該他の構内交換機を介して公衆回線網に接続されることを特徴とする構内交換システム。
【請求項５】
請求項３に記載の構内交換システムにおいて、ＴＣＰ／ＩＰネットワークはインターネット、イントラネット及びＬＡＮのいずれかであることを特徴とする構内交換システム。
【請求項６】
請求項１に記載の構内交換システムにおいて、ダイヤルイントランクはＩＳＤＮトランク及びアナログトランクのいずれかであることを特徴とする構内交換システム。
【請求項７】
請求項１に記載の構内交換システムにおいて、着信情報は、着信先の電話番号及び発信者の電話番号のいずれかであることを特徴とする構内交換システム。
【請求項８】
相互にデータ通信可能な複数の構内交換機にて構内交換システムを構築する構内交換機において、
収容したダイヤルイントランクへの着信を検出すると共に、当該着信に関する着信情報を取得し、
当該他の構内交換機に前記着信情報を送信し、
前記他の構内交換機のそれぞれが、前記着信情報に基づいて、自らの配下の端末宛の着信か否かを判定した判定結果のうち、着信か否かの少なくとも一方を受信し、
前記他の構内交換機のうち、自らの配下の端末宛の着信であると判定した構内交換機乙、及び、当該構内交換機を介して、前記着信情報に応じた端末との接続を確立する
ことを特徴とする構内交換機。
【請求項９】
請求項８に記載の構内交換機において、当該他の構内交換機と接続するためのダイヤルイントランク以外の通信経路に接続するためのインタフェースを備え、前記通信経路を介して前記着信に応じた端末との接続を確立することを特徴とする構内交換機。
【請求項１０】
請求項９に記載の構内交換機において、前記ダイヤルイントランク以外の通信経路はＴＣＰ／ＩＰネットワークであり、ＴＣＰ／ＩＰネットワークを介して、ＶｏＩＰ（ｖｏｉｃｅ  ｏｖｅｒ  ｉｎｔｅｒｎｅｔ  ｐｒｏｔｏｃｏｌ）により他の構内交換機との間に音声通話パスを形成することを特徴とする構内交換機。
【請求項１１】
請求項８に記載の構内交換機において、ダイヤルイントランクはＩＳＤＮトランク及びアナログトランクのいずれかであることを特徴とする構内交換機。
【請求項１２】
請求項８に記載の構内交換機において、着信情報は、着信先の電話番号及び発信者の電話番号のいずれかであることを特徴とする構内交換機。
【請求項１３】
少なくとも２つのトランクと接続するための複数のトランク回路を備え、同様の構内交換機を複数含む構内交換システムにて用いられる構内交換機において、
トランクに検出された着信の着信情報及びダイヤルインテーブルに基づいて、呼び出すべき電話端末が自構内交換機の配下に含まれるか否かを判定し、
前記判定の結果が含まれるである場合、該当する電話端末に対する発呼を行い、
一のトランク甲にて検出された着信での前記判定が含まれないである場合、前記構内交換システムの他の構内交換機に対し、呼び出すべき電話端末が当該構内交換機の配下に含まれるか否かを、前記トランク甲以外のトランク乙を介して問い合わせ、前記問い合わせに含まれると応答した構内交換機との間に、前記トランク乙を介して音声パスを接続する
ことを特徴とする構内交換機。
【請求項１４】
相互にデータ通信可能な複数の構内交換機にて構内交換システムを構築する構内交換機の動作を制御するコンピュータプログラムにおいて、
収容したダイヤルイントランクへの着信を検出すると共に、当該着信に関する着信情報を取得する処理と、
当該他の構内交換機に前記着信情報を送信する処理と、
前記他の構内交換機のそれぞれが、前記着信情報に基づいて、自らの配下の端末宛の着信か否かを判定した判定結果のうち、着信か否かの少なくとも一方を受信する処理と、
前記他の構内交換機のうち、自らの配下の端末宛の着信であると判定した構内交換機乙、及び、当該構内交換機を介して、前記着信情報に応じた端末との接続を確立する処理と
を構内交換機に実行させることを特徴とするコンピュータプログラム。
【請求項１５】
相互にデータ通信可能な複数の構内交換機を備える構内交換システムにて接続を確立する方法において、
前記複数の構内交換機の一である構内交換機甲が収容したダイヤルイントランクへの着信を検出すると共に、当該着信に関する着信情報を取得する段階と、
構内交換機甲が当該他の構内交換機に前記着信情報を送信する段階と、
前記他の構内交換機のそれぞれが、前記着信情報に基づいて、自らの配下の端末宛の着信か否かを判定する段階と、
前記他の構内交換機のうち、自らの配下の端末宛の着信であると判定した構内交換機乙が、構内交換機甲に応答する段階と、
構内交換機甲及び乙を介して、前記着信情報に応じた端末の接続を確立する段階と
を含むことを特徴とする構内交換システムでの接続確立方法。
【発明の詳細な説明】
【技術分野】
【０００１】
本発明は構内交換システムに関し、特に、ＶｏＩＰ（ｖｏｉｃｅ  ｏｖｅｒ  ｉｎｔｅｒｎｅｔ  ｐｒｏｔｏｃｏｌ）によるＴＣＰ／ＩＰネットワークを介した音声通話機能を備える構内交換機からなる構内交換システムに関する。
【背景技術】
【０００２】
一般に、構内交換システムは、一乃至複数の構内交換機と、それぞれの構内交換機の配下の複数の電話端末を備える。また、最近の構内交換システムはダイヤルイン着信機能を備える。ダイヤルイン着信機能は、公衆回線網の交換機から着信と同時に通知を受けた着信先電話番号に応じて、予め定められた内線番号を呼び出す機能である。
【０００３】
複数の構内交換機を備える構内交換システムにおいて、ある構内交換機に他の構内交換機の配下の電話端末宛のダイヤルイン着信があると、従来、次のようにルーティングを行うことにより、所望の電話端末に着信させていた。即ち、複数の構内交換機の全てに、全電話端末の内線番号とダイヤルイン番号の対応関係を表すテーブルを予め格納する。以下、内線番号とダイヤルイン番号の対応関係を表すテーブルをダイヤルインテーブルと呼ぶ。次に、ダイヤルイントランクから着信を受けた構内交換機Ａは、ダイヤルインテーブルを参照し、該当する内線番号を検索する。そして、検索した内線番号が、他の構内交換機Ｂ配下の電話端末に対して割り当てられた番号である場合、構内交換機Ａは構内交換機Ｂに対し、着信先の端末を呼び出すように要求する。最後に、着信先端末が応答したら、構内交換機Ａ及びＢは、発信者と着信先端末との間のコネクションを確立する。
【０００４】
他方、最近のオフィスには、ＬＡＮ（ｌｏｃａｌ  ａｒｅａ  ｎｅｔｗｏｒｋ）が張りめぐらされており、これを利用して、最近の構内交換システムでは、構内交換機及び電話端末はＬＡＮインタフェースを備え、ＬＡＮを介してＶｏＩＰ（ｖｏｉｃｅ  ｏｖｅｒ  ＩＰ）により通話ができるようになっている。このような従来技術が例えば特許文献１に記載されている。
【０００５】
【特許文献１】特開平１１−３３１３７１号公報（第６頁、図１）
【発明の開示】
【発明が解決しようとする課題】
【０００６】
このように、複数の構内交換機を介したダイヤルイン着信のルーティングでは、従来、構内交換機の直接の配下の端末の分だけではなく、他の構内交換機配下の端末の分についても、予め全ての構内交換機のダイヤルインテーブルに登録しておく必要があった。このため、一機の構内交換機配下の内線番号を変更するだけで、他の構内交換機配下の内線番号には全く変更がない場合であっても、全構内交換機のダイヤルインテーブルを更新する必要があった。
【０００７】
また、このような従来技術では、それぞれの構内交換機は、全構内交換機配下の全端末分のダイヤルインテーブルを格納する必要があり、ダイヤルインテーブルを格納するため、構内交換機にはその分大きなメモリ容量が必要であった。換言すれば、メモリの容量によって、ダイヤルインテーブルに登録可能な内線番号やダイヤルイン番号の数に限界があり、その結果、システムに追加可能な構内交換機の数が、構内交換機のメモリ容量によって制限を受けてしまい、システムの運用や拡張の上で柔軟性に欠けるという問題があった。
【０００８】
このような状況に鑑みて、本発明が解決しようとする課題は、複数の構内交換機を備える構内交換システムにおいて、一部の構内交換機の配下の電話端末における内線番号とダイヤルイン番号の対応関係を変更する際に、対応する構内交換機のダイヤルインテーブルのみを更新するだけで更新作業が完了するような構内交換システムを提供することである。
【０００９】
また、本発明が解決しようとする他の課題は、システムの運用性や拡張性に対するダイヤルインテーブルの容量上の制約を緩めることである。
【課題を解決するための手段】
【００１０】
上述の問題を解決するため、本発明は次のような構内交換システム、構内交換機、構内交換機を制御するコンピュータプログラム、及び構内交換システムでの接続確立方法を提供することである。
【００１１】
即ち、相互にデータ通信可能な複数の構内交換機を備える構内交換システムにおいて、複数の構内交換機の一である構内交換機甲が収容したダイヤルイントランクへの着信を検出すると共に、当該着信に関する着信情報を取得し、構内交換機甲が当該他の構内交換機に着信情報を送信し、他の構内交換機のそれぞれが、着信情報に基づいて、自らの配下の端末宛の着信か否かを判定し、他の構内交換機のうち、自らの配下の端末宛の着信であると判定した構内交換機乙が、構内交換機甲に応答し、構内交換機甲及び乙を介して、着信情報に応じた端末の接続を確立することを特徴とする構内交換システムを提供する。
【００１２】
構内交換機間を接続するダイヤルイントランク以外の通信経路を備え、通信経路を介して着信情報に応じた端末との接続を確立することとしてよい。
【００１３】
例えば、ダイヤルイントランク以外の通信経路は、ＴＣＰ／ＩＰネットワークであり、構内交換機は、ＴＣＰ／ＩＰネットワークを介して、ＶｏＩＰ（ｖｏｉｃｅ  ｏｖｅｒ  ｉｎｔｅｒｎｅｔ  ｐｒｏｔｏｃｏｌ）により他の構内交換機との間に音声通話パスを形成することが考えられる。
【００１４】
複数の構内交換機の少なくとも一機は、ダイヤルイントランクを収容しない構内交換機であってもよい。この場合、当該構内交換機の配下の端末は、当該及び当該他の構内交換機を介して公衆回線網に接続される。
【００１５】
ＴＣＰ／ＩＰネットワークはインターネット、イントラネット及びＬＡＮのいずれであってもよい。
【００１６】
ダイヤルイントランクはＩＳＤＮトランク及びアナログトランクのいずれであってもよい。
【００１７】
ここで、ルーティングに用いる着信情報は、例えば、着信先の電話番号及び発信者の電話番号がある。
【００１８】
また、本発明は、相互にデータ通信可能な複数の構内交換機にて構内交換システムを構築する構内交換機において、収容したダイヤルイントランクへの着信を検出すると共に、当該着信に関する着信情報を取得し、当該他の構内交換機に着信情報を送信し、他の構内交換機のそれぞれが、着信情報に基づいて、自らの配下の端末宛の着信か否かを判定した判定結果のうち、着信か否かの少なくとも一方を受信し、他の構内交換機のうち、自らの配下の端末宛の着信であると判定した構内交換機乙、及び、当該構内交換機を介して、着信情報に応じた端末との接続を確立することを特徴とする構内交換機を提供する。
【００１９】
換言すれば、少なくとも２つのトランクと接続するための複数のトランク回路を備え、同様の構内交換機を複数含む構内交換システムにて用いられる構内交換機において、トランクに検出された着信の着信情報及びダイヤルインテーブルに基づいて、呼び出すべき電話端末が自構内交換機の配下に含まれるか否かを判定し、判定の結果が含まれるである場合、該当する電話端末に対する発呼を行い、一のトランク甲にて検出された着信での判定が含まれないである場合、構内交換システムの他の構内交換機に対し、呼び出すべき電話端末が当該構内交換機の配下に含まれるか否かを、トランク甲以外のトランク乙を介して問い合わせ、問い合わせに含まれると応答した構内交換機との間に、トランク乙を介して音声パスを接続することを特徴とする構内交換機を提供する。
【００２０】
また、本発明は、相互にデータ通信可能な複数の構内交換機にて構内交換システムを構築する構内交換機の動作を制御するコンピュータプログラムにおいて、収容したダイヤルイントランクへの着信を検出すると共に、当該着信に関する着信情報を取得する処理と、当該他の構内交換機に着信情報を送信する処理と、他の構内交換機のそれぞれが、着信情報に基づいて、自らの配下の端末宛の着信か否かを判定した判定結果のうち、着信か否かの少なくとも一方を受信する処理と、他の構内交換機のうち、自らの配下の端末宛の着信であると判定した構内交換機乙、及び、当該構内交換機を介して、着信情報に応じた端末との接続を確立する処理とを構内交換機に実行させることを特徴とするコンピュータプログラムを提供する。
【００２１】
また、本発明は、相互にデータ通信可能な複数の構内交換機を備える構内交換システムにて接続を確立する方法において、複数の構内交換機の一である構内交換機甲が収容したダイヤルイントランクへの着信を検出すると共に、当該着信に関する着信情報を取得する段階と、構内交換機甲が当該他の構内交換機に着信情報を送信する段階と、他の構内交換機のそれぞれが、着信情報に基づいて、自らの配下の端末宛の着信か否かを判定する段階と、他の構内交換機のうち、自らの配下の端末宛の着信であると判定した構内交換機乙が、構内交換機甲に応答する段階と、構内交換機甲及び乙を介して、着信情報に応じた端末の接続を確立する段階とを含むことを特徴とする構内交換システムの接続確立方法を提供する。
【発明の効果】
【００２２】
本発明によれば、交換機はダイヤルインテーブルに他の交換機配下の電話端末のデータを格納しておく必要がない。このため、ある交換機の配下の内線番号とダイヤルイン番号との対応関係を変更する際、その交換機のダイヤルインテーブルのみを更新すれば足り、他の交換機のダイヤルインテーブルを更新する必要がない。従って、構内交換システム全体のメンテナンスが容易になるという効果がある。
【００２３】
また、同じ理由から、構内交換システムに追加可能な交換機の数が、ダイヤルインテーブルの容量上の制約に縛られにくくなり、システムの発展性を確保することが容易になる。
【発明を実施するための最良の形態】
【００２４】
発明を実施するための最良の形態である構内交換システム１について説明する。構内交換システム１は、公衆回線網２の交換機とトランク３、４、５を介して接続されたサブシステム６、７、８と、サブシステム６、７、８を互いに接続するＬＡＮ（ｌｏｃａｌ  ａｒｅａ  ｎｅｔｗｏｒｋ）９からなる。サブシステム６は、交換機６０と、その配下のキーテレフォン電話端末である電話端末６０１、６０２、６０３、・・・からなる。サブシステム７及び８もサブシステム６と同様である。電話端末にはそれぞれの参照符号と同じ内線番号が付与されているものとする。
【００２５】
交換機６０、７０、８０はＬＡＮ回線９を介してＶｏＩＰ（ｖｏｉｃｅ  ｏｖｅｒ  ｉｎｔｅｒｎｅｔ  ｐｒｏｔｏｃｏｌ）により音声通話パスを確立する機能を有する。
【００２６】
トランク３、４、５のいずれに対しても、電話番号１０１、１０２、１０３が割り当てられている。つまり、公衆回線網２から電話番号１０１を着信先とする発呼がなされると、交換機６、７、８の全てに対して着信がある。電話番号１０２及び１０３についても同様である。以下、電話番号１０１、１０２、１０３は、契約回線番号、ダイヤルイン追加番号の区別なく、ダイヤルイン番号と呼ぶものとする。
【００２７】
交換機６０は表１のようなダイヤルインテーブルを格納している。ダイヤルインテーブルは、格納されている交換機の配下のキーテレフォン端末の内線番号と、ダイヤルイン番号との対応関係を表すテーブルである。同様に、交換機７０、８０はそれぞれ表２、表３に示すダイヤルインテーブルを格納している。
【表１】
2005333423.tif 000003
【表２】
2005333423.tif 000004
【表３】
2005333423.tif 000005
【００２８】
次に、構内交換システム１におけるダイヤルイン着信のルーティングを説明する。
【００２９】
今、公衆回線網２からダイヤルイン番号１０１への発呼がなされたとする。このときのルーティングを図２を参照して説明すると、交換機６０は着信（ステップＳ１１）と共に公衆回線網２の交換機から着信情報を受信する（ステップＳ１２）。交換機６０は、着信情報に含まれる着信先電話番号、即ち、ダイヤルイン番号１０１を抽出し、この番号に対応する内線番号がダイヤルインテーブルに含まれているか否かを検索する（ステップＳ１３）。表１にあるように、交換機６０のダイヤルインテーブルには、ダイヤルイン番号１０１に対応して内線番号６０１が登録されているので、交換機６０は内線番号６０１を有する電話端末６０１に対して発呼する（ステップＳ１４）。
【００３０】
これに応じて電話端末６０１に着呼して呼び出しベルの鳴動等により電話端末６０１の近辺にいる者に着呼が通知される。鳴動等に応じて電話端末６０１の受話器が取り上げられ、着呼に対する応答がなされる（ステップＳ１６、Ｓ１７）と、交換機６０と電話端末６０１の間の音声パスが接続され、通話が始まる。
【００３１】
尚、ダイヤルイン番号１０１は表２及び３にも登録されている。このため、交換機７０及び８０はそれぞれ電話端末７０１及び８０１に対して発呼することになり、応答が最も早い電話端末との間に音声パスが接続される。
【００３２】
次に、公衆回線網２からダイヤルイン番号１０２への発呼がなされたとする。このときのルーティングを図３を参照して説明する。ステップＳ１１、Ｓ１２は前述と同様であるが、ダイヤルイン番号１０２に対応する内線電話番号は表１には登録されていないので、ステップＳ１３にて該当する内線電話番号は検索できない。このとき、交換機６０は、ダイヤルイン番号１０２を、構内交換システム１の他の構内交換機７０及び８０に対し、ＬＡＮ回線９を介して送信する（ステップＳ２１）。
【００３３】
他の構内交換機７０及び８０は、ダイヤルイン番号１０２を受信する（ステップＳ２２）と、それぞれ自分のダイヤルインテーブルを検索して該当する内線番号が登録されているか否かを判定する（ステップＳ２３）。表２及び３を参照すると、表２にはダイヤルイン番号１０２に対応する内線番号７０２が登録されているが、表３には登録されていない。該当する内線番号がダイヤルインテーブルに登録されている構内交換機７０は、ＬＡＮ回線９を介して構内交換機６０に応答を返信する（ステップＳ２４）。構内交換機８０は何もしない。
【００３４】
構内交換機７０から応答を受信した構内交換機６０（ステップＳ２５）は、ＶｏＩＰによる音声パスを接続すべく交換機７０に対してＬＡＮ回線９を介して発呼する（ステップＳ２６）。このとき、構内交換機６０は構内交換機７０に対し、被呼者番号（Ｃａｌｌｅｄ  Ｐａｒｔｙ  ｎｕｍｂｅｒ）としてダイヤルイン番号１０２を通知する。
【００３５】
ステップＳ２５の発呼に対して交換機７０が応じ（ステップＳ２７）、交換機６０及び７０の間に音声パスが接続される。また、このとき構内交換機７０はダイヤルイン番号１０２を取得（ステップＳ２８）し、ダイヤルインテーブルにて再度検索（ステップＳ２９）して、該当する内線番号７０２に対して発呼する（ステップＳ３０）。この発呼に応答する着呼を電話端末７０２が検出すると、電話端末７０２は所定の鳴動動作等を行って利用者を呼び出し、受話器が上がると応答を返信（ステップＳ３２）し、この応答を受信した交換機７０（ステップＳ３３）と電話端末７０２の間に音声パスが接続され、発呼者と電話端末７０２との間の音声パスが、交換機６０及び７０を介して接続されて通話が始まる。
【実施例１】
【００３６】
上述の構内交換機６０、７０、８０の実施例として構内交換機２００を挙げてより具体的に説明する。図４を参照すると、構内交換機２００は、内線３００を収容するライン回路２０１と、公衆回線網に接続する局線や、専用線網に接続する専用線を収容するトランク回路２０２と、それぞれＬＡＮ回線９に接続し、これらライン回路２０１、トランク回路２０２の音声データ形式とＬＡＮ電話端末の音声データ形式を相互に変換する処理、即ち、ＶｏＩＰ処理を実行する音声変換回路２０３と、ライン回路２０１、トランク回路２０２、及び音声変換回路２０３間においてデータを相互に交換するスイッチ２０４と、ライン回路２０１及びトランク回路２０２から電話番号を受信するレジスタ２０５と、ＬＡＮ回線９を介して他の交換機との間で呼制御メッセージを送受するＬＡＮインタフェース回路２０６と、メモリ２０７と、制御バス２０８と、制御バス２０８を介してこれら各回路機器を制御するＣＰＵ（制御装置）２０９とを備えている。音声変換回路２０３は、ＩＰトランクを収容するトランク回路のひとつでもある。
【００３７】
ＣＰＵ２０９はメモリ２０７に格納されたダイヤルインテーブルを参照して図２及び３のフローチャートに記した動作を実行する。ステップＳ１４、Ｓ１７、Ｓ２１、Ｓ２５、及びＳ２６にて行われる交換機間におけるデータ通信は、ＬＡＮインタフェース回路２０６及びＬＡＮ回線９を介して行われ、交換機間の音声パスは音声変換回路２０３及びＬＡＮ回線９を介して行われる。
【００３８】
以上、本発明を実施の形態及び実施例に基づいて説明したが、本発明はこれに限定されるものではなく、当業者の通常の知識の範囲内でその変更や改良が可能であることは勿論である。
【００３９】
例えば、構内交換システム１の構内交換機は全て公衆回線網２に接続するダイヤルイントランクを収容していたが、本発明はこれに限られるものではなく、図５に示すように、構内交換システムの一部の構内交換機のみが収容するものとしてもよい。
【００４０】
また、前述の説明では、構内交換機間はＬＡＮで接続されていたが、本発明はこれに限られるものではなく、例えば、インターネット、イントラネット等の他のＴＣＰ／ＩＰネットワークであってもよい。
【００４１】
また、構内交換機に収容されるＶｏＩＰダイヤルトランク以外のダイヤルイントランクは、公衆回線網２、即ち、アナログトランクに限られるものではなく、ＩＳＤＮトランクであってもよい。
【００４２】
また、上述の実施の形態では、発呼者がダイヤルした電話番号に応じて着信先の内線番号が選択されたが、本発明はこれに限られるものではなく、他の着信情報、例えば発信者の電話番号（Ｃａｌｌｅｒ  ＩＤ）に応じて着信先の内線番号を選択することとしてもよい。
【図面の簡単な説明】
【００４３】
【図１】本発明の実施の形態である構内交換システム１の機能ブロック図である。
【図２】構内交換システム１によるダイヤルイン着信のルーティングを説明するためのフローチャートである。
【図３】構内交換システム１によるダイヤルイン着信のルーティングを説明するためのフローチャートである。
【図４】本発明の一実施例における構内交換機２００を説明するための機能ブロック図である。
【図５】本発明の他の実施例である構内交換システム５００の機能ブロック図である。
【符号の説明】
【００４４】
１    構内交換システム
２    公衆回線網
３、４、５    トランク
６、７、８    サブシステム
９    ＬＡＮ回線
６０、７０、８０、２００  構内交換機
６１、６２、７１、７２、８１、８２  電話端末
２０１  ライン回路
２０２  トランク回路
２０３  音声変換回路
２０４  スイッチ
２０５  レジスタ
２０６  ＬＡＮインタフェース回路
２０７  メモリ
２０８  制御バス
２０９  ＣＰＵ
【図１】
2005333423.tif 000006
【図２】
2005333423.tif 000007
【図３】
2005333423.tif 000008
【図４】
2005333423.tif 000009
【図５】
2005333423.tif 000010